(57)【要約】【課題】手摺ユニットの１箇所乃至複数箇所にプランターを装着することによりデッキの床面積を有効に利用できるようにしたバルコニーなどの建物用手摺を提供する。【解決手段】手摺ユニット１の１箇所乃至複数箇所にプランター７の取り付け空間部を形成し、前記空間部の下端に位置する下枠３上に水受けプレート８を固定し、この水受けプレート８上でプランター７を鉛直軸心の回りで回転可能に装着した。【選択図】    図２
2005133401.tif 000002
【特許請求の範囲】
【請求項１】
手摺ユニットの１箇所乃至複数箇所にプランターの取り付け空間部を形成し、前記空間部の下端に位置する下枠上に水受けプレートを固定し、この水受けプレート上でプランターを鉛直軸心の回りで回転可能に装着してなることを特徴とする建物用手摺。
【発明の詳細な説明】
【技術分野】
【０００１】
本発明は、プランターを回転可能に装着したバルコニー、窓手摺、廊下手摺などの建物用手摺に関するものである。
【背景技術】
【０００２】
従来から一般的なバルコニーとしては例えば特許文献１に開示されているように周囲が手摺ユニットで覆われているものが知られている。
【特許文献１】特開平９−２２８４６７号公報
【発明の開示】
【発明が解決しようとする課題】
【０００３】
このような特許文献１に開示されているバルコニーにあって、植木鉢、プランターなどは手摺ユニットの内側に位置するコンクリート製や合成樹脂製のデッキ上に置かれているのが一般的であるが、デッキ上に植木鉢、プランターなどを置くとデッキの床面積が狭くなるという問題がある。
【０００４】
本発明の目的は、このような課題を解決するものであり、手摺ユニットの１箇所乃至複数箇所にプランターを装着することによりデッキの床面積を有効に利用できるようにすることにある。
【課題を解決するための手段】
【０００５】
本発明の請求項１に記載の建物用手摺は、手摺ユニットの１箇所乃至複数箇所にプランターの取り付け空間部を形成し、前記空間部の下端に位置する下枠上に水受けプレートを固定し、この水受けプレート上でプランターを鉛直軸心の回りで回転可能に装着してなることを特徴とする。
【発明の効果】
【０００６】
以上のように、本発明の建物用手摺は、手摺ユニットの１箇所乃至複数箇所にプランターを装着することによりデッキの床面積を有効に利用することができる。また、花に対して日当たりを調節したい場合などにおいて、手摺ユニットの内側に位置する花と手摺ユニットの外側に位置する花を入れ替えたいときは、プランターを回転させることにより作業を容易に行なうことができる。
【発明を実施するための最良の形態】
【０００７】
以下、本発明の実施の形態を、図面に基づいて具体的に説明する。
先ず、図１〜図３に示す第１の実施の形態について説明すると、１はバルコニーの手摺ユニットで、この手摺ユニット１は下端の前面部および両側部に化粧カバー２が設けられ、この化粧カバー２上に設けられた下枠３とこの下枠３に対し平行に下枠３の上方に設けられた上枠４との間に壁材５が設けられてバルコニーの周囲を覆っている。前記上枠４の上方には上枠４に対し平行に笠木６が取り付けられている。本実施の形態ではバルコニーの前面部に位置する前記壁材５の中央部において、上下方向全長に亘って空間部が形成されており、この空間部内に平面形状が円形のプランター７が回転可能に装着されている。
【０００８】
このプランター７の取り付け部について詳細に説明すると、前記下枠３上には前記プランター７の大きさに合った平面形状が円形の水受けプレート８が載せられ、水受けプレート８をビス９により取り付けている。水受けプレート８の中心には円筒状のボス１０が上方に突出して設けられ、上端に雌ねじ孔１１ａが形成された支持部材１１が下枠３に形成された挿通孔３ａに下方より差し込まれるとともに前記ボス１０にも差し込まれ、この支持部材１１の上端の雌ねじ孔１１ａに前記プランター７の中心孔部７ａに上方より差し込まれた雄ねじ部材１２を螺合させ、またプランター７の上方に立設した枠体１３の上端中心部で上方に突出する雌ねじ孔付き部材１４に上枠４に形成された挿通孔４ａより雄ねじ部材１５を螺合させることによりプランター７は鉛直軸心の回りで回転可能に支持されることになる。
【０００９】
ところで、前記プランター７の底部には多数の水抜き孔７ｂが形成されており、また前記枠体１３にはパンチングメタルまたはガラスなどの材料からなる板体１６が嵌められている。さらに、前記水受けプレート８には手摺ユニット１の内側に位置する部分の底部に１つの水抜き孔８ａが形成されているとともに、同じく手摺ユニット１の内側に位置する部分の周囲の立ち上がり壁８ｂの１箇所に回転止めピン１７のねじ込み孔１８が形成されており、このねじ込み孔１８にねじ込まれた回転止めピン１７の先端をプランター７の側面に押し当てることによりプランター７の回転を止めるように構成されている。
【００１０】
上記構成において、プランター７に立設した枠体１３に嵌められてなる板体１６は前記壁材５の中央部に形成された空間部を塞ぐように位置し、この板体１６の下側に位置するプランター７には板体１６を境にして花１９が植えられる。そして、花１９に対して日当たりを調節したい場合などにおいて、前記板体１６を境にして壁材５の内側に位置する花１９と壁材５の外側に位置する花１９を入れ替えたいときは、前記回転止めピン１７を弛めてプランター７を１８０度回転させ、その状態で回転止めピン１７の先端をプランター７の側面に押し当てておけば良い。
【００１１】
次に、図４〜図５に示す第２の実施の形態について説明すると、前記第１の実施の形態ではプランター７の上方に枠体１３を立設し、この枠体１３に板体１６が嵌められているが、第２の実施の形態では枠体１３ならびに板体１６を無くし、プランター７の中心から上方に伸びる軸２０の上端の雌ねじ孔部２１に上枠４に形成された挿通孔４ａより雄ねじ部材１５を螺合させるとともにプランター７の中心から下方に突出する雄ねじ部２２を持部材１１の上端の雌ねじ孔１１ａに螺合させることによりプランター７を鉛直軸心の回りで回転可能に支持するように構成されている。この第２の実施の形態は前記壁材５の中央部に形成された空間部の幅が比較的小さい場合に適し、空間部の幅が大きくなると人がバルコニーから落下するのを防止するために前記第１の実施の形態のようにプランター７の上方に枠体１３を立設し、この枠体１３に板体１６を嵌めたり、あるいは第２の実施の形態のプランター７の上端の周囲適当間隔おきに支柱を立設するなどすれば良い。
【００１２】
なお、上記した実施の形態ではプランター７は平面形状が円形であるが、角型であっても良い。また、前記壁材５の中央部に形成された空間部にプランター７を設けているが、壁材５の周囲複数箇所に空間部を形成し、この複数の空間部にそれぞれプランター７を設けるようにしても良い。さらに、上記した実施の形態のバルコニーは壁材５により周囲を覆っているタイプのものであるが、手摺子により周囲を覆っているタイプのものにも適用できる。
【００１３】
ところで、上記した実施の形態では建物用手摺としてバルコニーを例に挙げているが、バルコニー以外に窓の外に張り出す窓手摺や集合住宅の外に張り出すように設けられる廊下の手摺などにも実施できる。
【図面の簡単な説明】
【００１４】
【図１】本発明の第１の実施の形態におけるバルコニーの全体斜視図である。
【図２】同プランター取り付け部の分解斜視図である。
【図３】同プランター取り付け部の斜視図である。
【図４】本発明の第２の実施の形態におけるプランター取り付け部の分解斜視図である。
【図５】同プランター取り付け部の斜視図である。
【符号の説明】
【００１５】
１      手摺ユニット
３      下枠
３ａ    挿通孔
４      上枠
４ａ    挿通孔
５      壁材
７      プランター
７ａ    中心孔部
７ｂ    水抜き孔
８      水受けプレート
８ａ    水抜き孔
８ｂ    立ち上がり壁
９      ビス
１０      ボス
１１      支持部材
１１ａ    雌ねじ孔
１２      雄ねじ部
１３      枠体
１４      雌ねじ孔付き部材
１５      雄ねじ部材
１６      板体
１７      回転止めピン
１８      ねじ込み孔
１９      花
２０      軸
２１      雌ねじ孔部
２２      雄ねじ部
【図１】
2005133401.tif 000003
【図２】
2005133401.tif 000004
【図３】
2005133401.tif 000005
【図４】
2005133401.tif 000006
【図５】
2005133401.tif 000007